(57)【要約】  動植物油を原料として、ボイラやディーゼルエンジン等の燃料噴射装置に使用可能であって、信頼性が高く、低コストで省エネルギーに適した燃料を製造する装置とそれを用いた燃料製造方法を提供する。  本発明は、動植物油が貯蔵される原料油タンク（１）と、原料油タンク（１）に接続される移送ポンプ（２）と、その吐出側に接続される一次ろ過装置（３）と、その下流に設置される燃料供給タンク（４）と、それに貯蔵された原液を加熱する一次加熱手段と、燃料供給タンク（４）に配管（１０ａ）を介して接続される循環ポンプ（５）と、その吐出側に設置される二次ろ過装置（６）と、その入口側に設けられる圧力計（１１）と、二次ろ過装置（６）の下流に設置される加熱器（７）と、加熱器（７）に配管（１０ｂ）を介して接続される水混合装置（８）と、配管（１０ａ）と配管（１０ｂ）を接続する配管（１０ｃ）に設けられる圧力調整弁（９）を備えている。
2017171080.tif 000002
【特許請求の範囲】
【請求項１】
魚類などから生成された動物性油や植物の種子等から直接採取された植物性油、あるいは調理に使用された後の廃食用油からなる原料油を精製してボイラやディーゼルエンジン等の燃料噴射装置に使用可能な動植物性燃料を製造する方法であって、  前記原料油を貯蔵して鉱物や金属成分など密度差が大きな不純物を沈殿させて除去する工程と、  貯蔵された前記原料油を吸入して異物をろ過する一次ろ過工程と、  この一次ろ過工程においてろ過された前記原料油を前記動植物性燃料の原液として貯蔵する工程と、  この貯蔵された状態の前記原液を加熱する一次加熱工程と、  この一次加熱工程において加熱された前記原液から前記異物よりもさらに粒径の小さい異物をろ過する二次ろ過工程と、  この二次ろ過工程においてろ過された前記原液を加熱する二次加熱工程と、を備えたことを特徴とする動植物性燃料製造方法。
【請求項２】
前記二次加熱工程の後に前記原液を所定の割合で水と混合させる工程を備えたことを特徴とする請求項１に記載の動植物性燃料製造方法。
【請求項３】
動植物油が原料油として貯蔵される原料油タンク（１）と、  第１のフィルタを有して前記原料油タンク（１）に移送ポンプ（２）を介して接続される一次ろ過装置（３）と、  この一次ろ過装置（３）によって処理された前記原料油が動植物性燃料の原液として貯蔵される燃料供給タンク（４）と、この燃料供給タンク（４）に貯蔵された前記原液を加熱する一次加熱手段と、前記燃料供給タンク（４）に第１の配管（１０ａ）を介して接続される循環ポンプ（５）と、  前記第１のフィルタよりも網目が小さい第２のフィルタを有して前記循環ポンプ（５）の吐出側に設置される二次ろ過装置（６）と、  この二次ろ過装置（６）の下流に設置される二次加熱手段（７）と、を備えたことを特徴とする動植物性燃料製造装置。
【請求項４】
前記二次加熱手段（７）に第２の配管（１０ｂ）を介して接続され、二次加熱された前記原液に対し、所定の割合で水を混合する水混合装置（８）を備えたことを特徴とする請求項３に記載の動植物性燃料製造装置。
【請求項５】
圧力調整弁（９）が設けられた第３の配管（１０ｃ）を介して前記第１の配管（１０ａ）と前記第２の配管（１０ｂ）が接続されたことを特徴とする請求項４に記載の動植物性燃料製造装置。  
【発明の詳細な説明】
【技術分野】
【０００１】  本発明は、動植物から採取された油を原料として、沈殿、ろ過、加熱及び水混合という物理的手法のみを用いて、ボイラやディーゼルエンジン等の燃料噴射装置に使用可能な燃料に精製する装置とそれを用いた燃料の製造方法に係り、特に、二酸化炭素を排出しない（カーボンニュートラル）という特性を有するとともに大気環境汚染物質である窒素酸化物（以下、ＮＯｘという。）と黒煙（以下、Ｓｏｏｔという。）を同時に低減することが可能な環境対応型の動植物性燃料の製造装置とそれを用いた動植物性燃料の製造方法に関する。
【背景技術】
【０００２】  動植物から採取された油は粘度が高いなどの特徴を有しており、そのままボイラやディーゼルエンジン等の燃料噴射装置の燃料として使用した場合には、析出物により燃料ポンプや噴射ノズルに不具合が発生することが懸念される。そこで、近年では、「メチルエステル化」などの化学的処理を実施して原料である動植物油からグリセリンを取り除くことで、動植物油を脂肪酸メチルエステルなどの軽油に近い性状に変換した「ディーゼル自動車用燃料（バイオディーゼル燃料、以下、ＢＤＦ（登録商標）という。）」が使用されている。【０００３】  このＢＤＦは、例えば、特許文献１に記載されているように、次のような方法によって製造される。  （１）動植物油にメタノールと触媒を加えてエステル交換反応を起こし、これに酸を加えて中和させたうえで脂肪酸メチルエステルとグリセリンに分散させる。  （２）分離した脂肪酸エステルを水洗処理して触媒を取り除く。  （３）さらに蒸留処理をしてメタノールを除去する。
【先行技術文献】
【特許文献】
【０００４】
【特許文献１】特開２００８−１１１０９８号公報
【発明の概要】
【発明が解決しようとする課題】
【０００５】  しかしながら、化学的手法を用いる場合には次のような課題がある。（１）動植物油にメタノールと触媒を加えてエステル交換反応を起こし、これに酸を加えて中和させたうえで脂肪酸メチルエステルとグリセリンに分散させる際に、触媒と多量のエネルギー及びコストを必要とする。（２）分離した脂肪酸エステルを水洗処理して触媒を取り除く際に、多量の水を必要とするとともに、水を浄化するための装置とこれを行うための多量のエネルギー及びコストを必要とする。（３）蒸留処理をするための装置とこれを行うための多量のエネルギー及びコストを必要とする。（４）この際、副産物として原料となる動植物油の１０％程度のグリセリンが生成されるが、触媒や未変換の脂肪酸などが混入しており、有効な用途がないとされている。【０００６】  本発明は、このような従来の事情に対処してなされたものであり、動植物から採取された油を原料として、ボイラやディーゼルエンジン等の燃料噴射装置に使用可能であって、信頼性が高く、低コストで省エネルギーに適した燃料を製造する装置とそれを用いた燃料製造方法を提供することを目的とする。
【課題を解決するための手段】
【０００７】  上記目的を達成するため、第１の発明は、魚類などから生成された動物性油や植物の種子等から直接採取された植物性油、あるいは調理に使用された後の廃食用油からなる原料油を精製してボイラやディーゼルエンジン等の燃料噴射装置に使用可能な動植物性燃料を製造する方法であって、原料油を貯蔵して鉱物や金属成分など密度差が大きな不純物を沈殿させて除去する工程と、貯蔵された原料油を吸入して異物をろ過する一次ろ過工程と、この一次ろ過工程においてろ過された原料油を動植物性燃料の原液として貯蔵する工程と、この貯蔵された状態の原液を加熱する一次加熱工程と、この一次加熱工程において加熱された原液から上記異物よりもさらに粒径の小さい異物をろ過する二次ろ過工程と、この二次ろ過工程においてろ過された原液を加熱する二次加熱工程と、を備えたことを特徴とするものである。【０００８】  このような動植物性燃料製造方法においては、沈殿、ろ過及び加熱という物理的手法のみによって、ボイラやディーゼルエンジン等の燃料噴射装置に使用可能な燃料が精製されるという作用を有する。特に、粒径及び密度差の比較的大きな不純物が分離され、動植物性燃料の原液として貯蔵された原料油は、加熱されることにより、粘度が低下して流動性が増加する。その結果、原料油に含まれる密度の大きな不純物の沈殿が促進されるという作用を有する。  また、原液を二次加熱することによって製造した動植物性燃料を燃焼させた場合、燃料噴射の際の微粒化が促進されて燃焼が改善されるため、Ｓｏｏｔの発生量が少なくなるという作用を有する。【０００９】  また、第２の発明は、第１の発明において、二次加熱工程の後に原液を所定の割合で水と混合させる工程を備えたことを特徴とするものである。  このような動植物性燃料製造方法においては、第１の発明の作用に加え、製造された動植物性燃料を燃焼させた場合、噴霧に含まれる水の気化熱により周囲温度が下がるとともに、蒸発した水（水蒸気）の比熱が空気よりも大きい等の理由から、燃焼温度が低下してＮＯｘが減少するという作用を有する。さらに、燃料噴射時における噴霧への空気導入量が増加して、燃焼が改善されるため、Ｓｏｏｔが減少するという作用を有する。【００１０】  第３の発明に係る動植物性燃料製造装置は、動植物油が原料油として貯蔵される原料油タンクと、第１のフィルタを有して原料油タンクに移送ポンプを介して接続される一次ろ過装置と、この一次ろ過装置によって処理された原料油が動植物性燃料の原液として貯蔵される燃料供給タンクと、この燃料供給タンクに貯蔵された原液を加熱する一次加熱手段と、燃料供給タンクに第１の配管を介して接続される循環ポンプと、第１のフィルタよりも網目が小さい第２のフィルタを有して循環ポンプの吐出側に設置される二次ろ過装置と、この二次ろ過装置の下流に設置される二次加熱手段と、を備えたことを特徴とするものである。【００１１】  このような構造の動植物性燃料製造装置においては、原料油タンクという閉鎖された空間内に所定の時間貯蔵することにより、鉱物や金属成分などの原料油よりも密度の大きな不純物が原料油タンクの底に沈殿するという作用を有する。また、粒径の比較的大きな異物が一次ろ過装���によって分離されるという作用を有する。さらに、燃料供給タンクに貯蔵された状態の動植物性燃料の原液を一次加熱手段によって加熱することにより、原液の粘度が低下して流動性が増加する結果、密度の大きな不純物の沈降速度が向上し、上記沈殿の効率が高まるという作用を有する。そして、一次ろ過装置では分離されなかった異物が二次ろ過装置によって分離されるという作用を有する。また、二次加熱手段によって原液を加熱することによって製造した動植物性燃料を燃焼させた場合、燃料噴射の際の微粒化が促進されて燃焼が改善されるため、Ｓｏｏｔの発生量が少なくなるという作用を有する。【００１２】  第４の発明は、第３の発明において、二次加熱手段に第２の配管を介して接続され、二次加熱された原液に対し、所定の割合で水を混合する水混合装置を備えたことを特徴とするものである。  このような構造の動植物性燃料製造装置においては、第３の発明の作用に加え、二次加熱された原液に対して水混合装置により所定の割合で水が混合されるようにして製造された動植物性燃料を燃焼させた場合、噴霧に含まれる水の気化熱により周囲温度が下がるとともに、蒸発した水（水蒸気）の比熱が空気よりも大きい等の理由から、燃焼温度が低下してＮＯｘが減少するという作用を有する。さらに、燃料噴射時における噴霧への空気導入量が増加して、燃焼が改善されるため、Ｓｏｏｔが減少するという作用を有する。【００１３】  第５の発明は、第４の発明において、圧力調整弁が設けられた第３の配管を介して第１の配管と第２の配管が接続されたことを特徴とするものである。  上記構造の動植物性燃料製造装置においては、第４の発明の作用に加え、水混合装置への供給圧力の変動が小さく抑えられるという作用を有する。
【発明の効果】
【００１４】  以上説明したように、第１の発明によれば、化学的手法を用いる場合のように触媒を用いたり、多量のエネルギーを消費して高コスト化の要因となる水の浄化処理や蒸留処理を行ったりする必要がなく、また、有効な用途のない副産物が生成されることもないため、動植物から採取された油を原料として、ボイラやディーゼルエンジン等の燃料噴射装置に使用可能であって、信頼性が高く、低コストで省エネルギーに適しており、しかも、燃焼させた際にＳｏｏｔの発生が少ない燃料を製造することができる。【００１５】  第２の発明によれば、第１の発明に比べて燃焼時のＳｏｏｔの発生が少なく、さらに、ＮＯｘも発生し難い燃料を製造できるという効果を奏する。【００１６】  第３の発明によれば、第１の発明に係る動植物性燃料製造方法を容易に実現することができる。【００１７】  第４の発明によれば、第３の発明の効果に加え、第２の発明に係る動植物性燃料製造方法を容易に実現できるという効果を奏する。【００１８】  二次ろ過装置による２次ろ過の際に、汚れにより第２のフィルタが詰まってしまうと、水混合装置への供給圧力（流量）が変化するおそれがあるが、第５の発明によれば、水混合装置への供給圧力の変動が小さく抑えられるため、水混合装置において燃料と水を所定の割合で混合させるとともに、エンジン等に対して十分な量の燃料を供給することが可能となる。
【図面の簡単な説明】
【００１９】
【図１】本発明の実施の形態に係る動植物性燃料製造方法の工程の一例を示したフローチャートである。
【図２】本発明の実施の形態に係る動植物性燃料製造装置の構成の一例を示したブロック図である。
【図３】本発明の方法によって製造した燃料を用いて供試機関を運転した場合の燃費とＮＯｘの発生割合の測定結果である。
【図４】本発明の方法によって製造した燃料を用いて供試機関を運転した場合のＮＯｘの発生割合の測定結果である。
【図５】本発明の方法によって製造した燃料を用いて供試機関を運転した場合のＳｏｏｔの発生割合の測定結果である。
【図６】本発明の方法によって製造した燃料の温度と動粘度の関係を示す実験結果である。
【図７】本発明の方法によって製造した燃料の温度と燃費及びＮＯｘの発生割合との関係を示した実験結果である。
【発明を実施するための形態】
【００２０】  図１は本発明の動植物性燃料製造方法の工程の一例を示したフローチャートであり、図２はそれに用いられる動植物性燃料製造装置の構成の一例を示したブロック図である。  図１において、ステップＳ１では、魚類などから生成された動物性油や植物の種子等から直接採取された植物性油（Ｓｔｒａｉｇｈｔ  Ｖｅｇｅｔａｂｌｅ  Ｏｉｌ：以下、ＳＶＯという。）、あるいは調理に使用された後の廃食用油（Ｖｅｇｅｔａｂｌｅ  Ｏｉｌ  ｆｒｏｍ  Ｃｏｏｋｉｎｇ：以下、ＶＯＣという。）からなる原料油を原料油タンク１に貯蔵する。これは、不純物の密度が異なるという特性を利用した「沈殿」と呼ばれる分離方法であり、このように閉鎖された空間内に所定の時間貯蔵することにより、原料油よりも密度の大きな「鉱物や金属成分などの不純物」が原料油タンク１の底に沈殿する（一次沈殿）。なお、このようにして沈殿した不純物はドレン抜きコック等から原料油タンク１の外へ排出される。
【００２１】  ステップＳ２では、原料油タンク１に貯蔵された原料油を移送ポンプ２によって吸入し、粒径が５０〜１００μｍ程度までの固形物を分離可能なフィルタを備えるとともに移送ポンプ２の吐出側に設置された一次ろ過装置３により原料油から除去する（一次ろ過）。  ステップＳ３では、ステップＳ１とステップＳ２の処理によって粒径及び密度差の比較的大きな異物が分離された原料油を動植物性燃料の原液として燃料供給タンク４に貯蔵し、ステップＳ４において、燃料供給タンク４に貯蔵された状態の動植物性燃料の原液を加熱する（一次加熱）。これにより、動植物性燃料の原液の粘度が低下するため、流動性が増加する。その結果、密度の大きな不純物の沈降速度が向上し、前述の「沈殿」の効率が高まる（二次沈殿）。
【００２２】  なお、ステップＳ４において動植物性燃料の原液を加熱する一次加熱手段としては、例えば、熱交換器やタンク内に設置された電気ヒータ等の熱源が考えられる。また、循環ポンプを用いて水や高沸点溶液等の液体をボイラやディーゼルエンジン等の熱機関の排気管に設置された熱交換装置とタンク内に設置された熱交換装置の間を循環させる方法などによっても上記原液の一次加熱を行うことができる。
【００２３】  ステップＳ５では、燃料供給タンク４に配管１０ａを介して接続される循環ポンプ５によって動植物性燃料の原液を吸入し、粒径が１０〜５０μｍ程度までの固形物を分離可能なフィルタを備えるとともに循環ポンプ５の吐出側に設置された二次ろ過装置６により粒径が１０〜５０μｍ程度までの固形物を原液から除去する（二次ろ過）。なお、ステップＳ４における加熱処理は、原液の粘度を低下させることにより二次ろ過装置６の微細なフィルタを通過する際の抵抗を低減させるとともに、循環ポンプ５に供給する動力を減少させるという効果を有している。
【００２４】  ステップＳ６では、熱交換器からなり、二次ろ過装置６の下流に設置される加熱器７によって、上述の異物が除去された原液を加熱する（二次加熱）。すなわち、ステップＳ５の処理によって、「ボイラやディーゼルエンジン等の燃料噴射装置に装備された燃料噴射ポンプや燃料噴射弁」において圧縮及び噴射に適しない程度の微小な粒径の固形物（粒径が約１０〜５０μm程度以上の異物）が原液から連続的に除去（二次ろ過）され、ステップＳ６の処理によって、原液はボイラやディーゼルエンジン等の燃料噴射装置に使用可能な動植物性燃料（Ｓｔｒａｉｇｈｔ  Ｂｉｏｌｏｇｉｃａｌ  Ｆｕｅｌ：以下、ＳＢＦという。）となる。
【００２５】  ステップＳ７では、加熱器７に配管１０ｂを介して接続される水混合装置８を用いてＳＢＦに対して、所定の割合で水を混合する。これにより、二酸化炭素を排出しない（カーボンニュートラル）という特性を有するとともに大気環境汚染物質であるＮＯｘとＳｏｏｔを同時に低減することが可能な環境対応型の動植物性燃料が得られる。  なお、二次ろか装置６による２次ろ過の際に、汚れによりフィルタが詰まってしまうと、水混合装置８への供給圧力（流量）が変化し、エンジンに対する燃料の供給量が不足するとともに、水混合装置８において燃料と水を所定の割合で混合させることが困難となる。そこで、配管１０ａと配管１０ｂを接続する配管１０ｃに圧力調整弁９を設置することにより、水混合装置８への供給圧力の変動を抑えるとともに、圧力が設定値以上になると警報を発するなどの措置により機器の不具合を未然に防止する機能を備えた圧力計１１を二次ろ過装置６の入口側に設けている。
【００２６】  次に、本実施の形態に係る動植物性燃料の製造方法に関連して行った実験について図面を参照しながら説明する。なお、以下の実験では、表１に示した燃料を使用し、定格出力と回転数がそれぞれ２１４ｋｗ、３１０１回転の供試機関の負荷率を７５％（１６０ｋW）とし、回転数を１分あたり２８２０回転とした。また、実験に用いたＳＢＦは、本発明の動植物性燃料製造方法によって廃食用油を精製して得たものである。
【００２７】
【表１】
2017171080.tif 000003
【実施例１】
【００２８】  実施例１では、ＳＢＦがエンジン又はボイラ等の機器の燃料として使用できるかどうかを明らかにする実験を行った。図３は軽油とＢＤＦとＳＢＦを燃料として供試機関を運転した場合の燃費とＮＯｘの発生割合を測定した実験結果である。  図３に示すように、ＳＢＦの燃費は軽油やＢＤＦとほとんど同じであった。なお、燃費は次の式（１）によって算出した。【００２９】
【数１】
2017171080.tif 000004
【００３０】  また、ＮＯｘについては、ＳＢＦはＢＤＦとほぼ同じであるが、軽油よりも高い値を示している。これは、表１に示すように、ＳＢＦとＢＤＦは約１０％の酸素分を含むため、燃焼が改善されたためと考えられる。  このように、本発明の動植物性燃料製造方法によって得られたＳＢＦをエンジン又はボイラ等の機器の燃料として使用した場合、ＢＤＦを用いた場合とほぼ同じエンジン性能が得られる。
【実施例２】
【００３１】  実施例２では、図２に示した動植物性燃料製造装置において、水混合装置８（図２参照）を用いて水が質量割合でそれぞれ１０％及び２０%混合されたＳＢＦを製造した。図４及び図５は、このＳＢＦを燃料として供試機関を運転してＮＯｘとＳｏｏｔの発生割合を測定した実験結果である。  図４及び図５に示すように、ＳＢＦに水を混合した場合、ＮＯｘやＳｏｏｔが大幅に低減することがわかる。これは、燃料に水を混合することによって噴霧に含まれる水の気化熱により周囲温度が下がるとともに、蒸発した水（水蒸気）の比熱が空気よりも大きいため、燃焼温度が低下してＮＯｘが減少したものと考えられる。また、Ｓｏｏｔが減少したのは、燃料に水を混合することで、燃料噴射時における噴霧への空気導入量が増加して、燃焼が改善されたためと考えられる。【００３２】  このように、本発明の動植物性燃料製造方法によって動植物油を精製し、これに水混合装置８を用いて水を混合することにより得られたＳＢＦをエンジン又はボイラ等の機器の燃料として使用した場合、大気環境汚染物質であるＮＯｘとＳｏｏｔを同時に低減することが可能である。
【実施例３】
【００３３】  実施例３では、ＳＢＦを加熱して、その動粘度を測定するとともに、ＳＢＦの温度と燃費及びＮＯｘの発生割合との関係を明らかにする実験を行った。  図６はＳＢＦの温度と動粘度の関係を示す実験結果であり、図７はＳＢＦの温度と燃費及びＮＯｘの発生割合との関係を示した実験結果である。  図６に示すように、ＳＢＦを加熱すると温度の上昇とともに動粘度は低下する。ただし、燃料を加熱するには熱源が必要であり、高温にするためには、高価な設備と多量のエネルギーが必要となる。したがって、所定の動粘度を得るための温度が低い燃料ほど、信頼性が高く、低コストで省エネルギーに適したものであると言える。【００３４】  図７に示すように、ＳＢＦは温度が５０℃以上（図６より動粘度が約３０ｃSt以下）の場合には、燃費がほとんど変わらない。一方、ＮＯｘはＳＢＦの温度を高くするにつれて（動粘度を低くするにつれて）わずかな減少傾向が見られるが、その減少割合は、ＳＢＦに水を混合した場合に比べると小さい。これは、先に述べたように、燃料の温度を高くすることにより流動性が増して効果的な沈殿、ろ過が可能となるとともに、燃料噴射の際の微粒化が促進されて燃焼が改善されるが、動粘度の値を３０ｃＳｔ以下にしてもその効果はほとんど同じであるためと考えられる。  これらの実験から、少なくとも動粘度が３０ｃＳｔ以下（本実験においては温度が５０℃以上）になるように加熱することで、信頼性が高く、低コストで省エネルギーに適したＳＢＦが得られることが明らかになった。
【産業上の利用可能性】
【００３５】  本発明は、動植物から採取された油を原料として、ボイラやディーゼルエンジン等の燃料噴射装置に使用可能な燃料を製造する場合に適用可能である。
【符号の説明】
【００３６】  １…原料油タンク  ２…移送ポンプ  ３…一次ろ過装置  ４…燃料供給タンク  ５…循環ポンプ  ６…二次ろ過装置  ７…加熱器  ８…水混合装置  ９…圧力調整弁  １０ａ〜１０ｃ…配管  １１…圧力計  
【図１】
2017171080.tif 000005
【図２】
2017171080.tif 000006
【図３】
2017171080.tif 000007
【図４】
2017171080.tif 000008
【図５】
2017171080.tif 000009
【図６】
2017171080.tif 000010
【図７】
2017171080.tif 000011
【手続補正書】
【提出日】平成30年1月26日(2018.1.26)
【手続補正１】
【補正対象書類名】特許請求の範囲
【補正対象項目名】全文
【補正方法】変更
【補正の内容】
【特許請求の範囲】
【請求項１】
魚類などから生成された動物性油や植物の種子等から直接採取された植物性油、あるいは調理に使用された後の廃食用油からなる原料油を精製してボイラやディーゼルエンジン等の燃料噴射装置に使用可能な動植物性燃料を製造する方法であって、
前記原料油を貯蔵して鉱物や金属成分などのように前記原料油よりも密度が大きな不純物を沈殿させて除去する工程と、
貯蔵された前記原料油を吸入して異物をろ過する一次ろ過工程と、
この一次ろ過工程においてろ過された前記原料油を前記動植物性燃料の原液として貯蔵する工程と、
この貯蔵された状態の前記原液を加熱する一次加熱工程と、
この一次加熱工程において加熱された前記原液から前記異物よりもさらに粒径の小さい異物をろ過する二次ろ過工程と、
この二次ろ過工程においてろ過された前記原液を加熱する二次加熱工程と、
この二次加熱工程の後に前記原液を所定の割合で水と混合させる工程と、を備えたことを特徴とする動植物性燃料製造方法。
【請求項２】
（削除）
【請求項３】
動植物油が原料油として貯蔵される原料油タンク（１）と、
第１のフィルタを有して前記原料油タンク（１）に移送ポンプ（２）を介して接続される一次ろ過装置（３）と、
この一次ろ過装置（３）によって処理された前記原料油が動植物性燃料の原液として貯蔵される燃料供給タンク（４）と、この燃料供給タンク（４）に貯蔵された前記原液を加熱する一次加熱手段と、前記燃料供給タンク（４）に第１の配管（１０ａ）を介して接続される循環ポンプ（５）と、
前記第１のフィルタよりも網目が小さい第２のフィルタを有して前記循環ポンプ（５）の吐出側に設置される二次ろ過装置（６）と、
この二次ろ過装置（６）の下流に設置される二次加熱手段（７）と、
この二次加熱手段（７）に第２の配管（１０ｂ）を介して接続され、二次加熱された前記原液に対し、水を混合する水混合装置（８）と、を備え、
圧力調整弁（９）が設けられた第３の配管（１０ｃ）を介して前記第１の配管（１０ａ）と前記第２の配管（１０ｂ）が接続されたことを特徴とする動植物性燃料製造装置。
【手続補正書】
【提出日】平成30年5月7日(2018.5.7)
【手続補正１】
【補正対象書類名】特許請求の範囲
【補正対象項目名】全文
【補正方法】変更
【補正の内容】
【特許請求の範囲】
【請求項１】
（削除）
【請求項２】
（削除）
【請求項３】
動植物油が原料油として貯蔵される原料油タンク（１）と、
第１のフィルタを有して前記原料油タンク（１）に移送ポンプ（２）を介して接続される一次ろ過装置（３）と、
この一次ろ過装置（３）によって処理された前記原料油が動植物性燃料の原液として貯蔵される燃料供給タンク（４）と、この燃料供給タンク（４）に貯蔵された前記原液を加熱する一次加熱手段と、前記燃料供給タンク（４）に第１の配管（１０ａ）を介して接続される循環ポンプ（５）と、
前記第１のフィルタよりも網目が小さい第２のフィルタを有して前記循環ポンプ（５）の吐出側に設置される二次ろ過装置（６）と、
この二次ろ過装置（６）の下流に設置される二次加熱手段（７）と、
この二次加熱手段（７）に第２の配管（１０ｂ）を介して接続され、二次加熱された前記原液に対し、水を混合する水混合装置（８）と、を備え、
圧力調整弁（９）が設けられた第３の配管（１０ｃ）を介して前記第１の配管（１０ａ）と前記第２の配管（１０ｂ）が接続されたことを特徴とする動植物性燃料製造装置。
【手続補正３】
【補正対象書類名】明細書
【補正対象項目名】０００１
【補正方法】変更
【補正の内容】
【０００１】
技術分野
［０００１］
本発明は、動植物から採取された油を原料として、沈殿、ろ過、加熱及び水混合という物理的手法のみを用いて、ボイラやディーゼルエンジン等の燃料噴射装置に使用可能な燃料に精製する装置とそれを用いた燃料の製造方法に係り、特に、二酸化炭素を排出しない（カーボンニュートラル）という特性を有するとともに大気環境汚染物質である窒素酸化物（以下、ＮＯｘという。）と黒煙（以下、Ｓｏｏｔという。）を同時に低減することが可能な環境対応型の動植物性燃料の製造装置とそれを用いた動植物性燃料の製造方法に関する。
背景技術
［０００２］
動植物から採取された油は粘度が高いなどの特徴を有しており、そのままボイラやディーゼルエンジン等の燃料噴射装置の燃料として使用した場合には、析出物により燃料ポンプや噴射ノズルに不具合が発生することが懸念される。そこで、近年では、「メチルエステル化」などの化学的処理を実施して原料である動植物油からグリセリンを取り除くことで、動植物油を脂肪酸メチルエステルなどの軽油に近い性状に変換した「ディーゼル自動車用燃料（バイオディーゼル燃料、以下、ＢＤＦ（登録商標）という。）」が使用されている。
［０００３］
このＢＤＦは、例えば、特許文献１に記載されているように、次のような方法によって製造される。
（１）動植物油にメタノールと触媒を加えてエステル交換反応を起こし、これに酸を加えて中和させたうえで脂肪酸メチルエステルとグリセリンに分散させる。
（２）分離した脂肪酸エステルを水洗処理して触媒を取り除く。
【国際調査報告】
2017171080.tif 000012
2017171080.tif 000013
2017171080.tif 000014
2017171080.tif 000015